(57)【要約】      （修正有）【課題】餌魚が身切れしないよう強固に、かつ水平に固定でき、前方にしか跳ね上がらない画期的なテコ式イカ釣り用仕掛を提供する。【解決手段】棒体３の一端にイカ掛け針４を固定し、交差した二つの穴を有す回転具９を通す。餌魚固定針７は二本以上の複数針とし、この餌魚固定針７を回転具と餌魚固定針を接続する三角形の金具８にＶ字ではなく、逆ハの字から平行に固定し、これを回転具９に回動できる状態で装着する。【選択図】図１
0003156619.tif 000002
【実用新案登録請求の範囲】
【請求項１】
餌魚の背中に掛ける餌魚固定針を二本以上の複数針とし、この針の軸同士が直接触れないよう、二本針の場合ならＶ字ではなく逆ハの字から平行とした特殊な餌魚固定針を、一端にイカ掛け針を有す棒体の途中に取り付けた、跳ね上げてイカを掛けるテコ式イカ釣り用仕掛。
【請求項２】
前記の餌魚固定針と一端にイカ掛け針を有す棒体は、交差した二つの穴を有す回転具と回転具と餌魚固定針を接続する折り曲げられた金具によって取り付けられ、この金具をイカ掛け針を有す棒体に交差させることにより、イカ掛け針を一方向にしか跳ね上がらないようにしたテコ式イカ釣り用仕掛。
【考案の詳細な説明】
【技術分野】
【０００１】  本考案は、アジ等の餌魚を用いてイカ釣り、主にはアオリイカ釣りを行う際に使用する釣り用仕掛に関するものである。
【背景技術】
【０００２】  従来より、アジ等の餌魚を用いたアオリイカの泳がせ釣りが盛んに行われている。アオリイカの泳がせ釣りにおいては、一端にイカ掛け針を取り付けた棒体の途中に、餌魚固定針を糸で結び付けた仕掛が最も一般的な仕掛であり、テコの原理を利用して跳ね上げてイカを掛けるためテコ式イカ釣り用仕掛と呼ばれる優れた仕掛である。【０００３】
【先行技術文献】
【特許文献】
【０００４】
【特許文献１】  実用新案２０００−００８２２２号
【考案の概要】
【考案が解決しようとする課題】
【０００５】  しかしながら、前述した従来のテコ式イカ釣り用仕掛には問題があった。通常、餌魚固定針は餌魚の背中に刺して使用するが、一本針であるため餌魚を強固に固定できず身切れしやすいため、遠投により餌魚が脱落したり、繰り返し投げると餌魚が脱落するといった問題があった。【０００６】  また、餌魚が自然な水平姿勢である方が釣果に優れるが、餌魚固定針が一本針であるため、餌魚が弱ったりすると前後どちらかに傾き、水平姿勢が維持できず釣果が低下する問題もあった。死んだ餌魚で釣りをする場合は、更に水平姿勢を維持するのが困難であり釣果を著しく低下させた。【０００７】  また、従来のテコ式イカ釣り用仕掛は、餌魚固定針とイカ掛け針を有す棒体が糸で固定されており、ふらふらと四方八方に跳ね上がってしまうため、仕掛投入の際に絡んだり、投入後、餌魚が泳いでいる際に尻尾にイカ掛け針が刺さったりといった問題があった。元々、アオリイカは餌魚の後頭部に抱き付く習性があるため、前方に跳ね上がれば捕獲でき、四方八方に跳ね上がることの意味は希薄である。【０００８】  本考案はこれらの問題を解決し、餌魚を水平に強固に固定でき、かつ、ふらふらと四方八方に跳ね上がらない画期的なテコ式イカ釣り用仕掛を提供する。【０００９】  本考案は、以下の構成により問題を解決する。【００１０】  餌魚固定針は二本以上の複数針とし、この餌魚固定針を、回転具と餌魚固定針を接続する三角形の金具に固定する。餌魚固定針は針の軸同士が直接触れないよう、例えば餌魚固定針が二本針の場合なら、Ｖ字ではなく、逆ハの字から平行に固定する。【００１１】  一端にイカ掛け針を固定した棒体に、交差した二つの穴を有す回転具を通す。通した回転具の、もう一方の穴に、二本以上の複数針である餌魚固定針を固定した回転具と餌魚固定針を接続する三角形の金具を回動できる状態で装着する。【００１２】  また、回転具と餌魚固定針を接続する三角形の金具を、本体である棒体と交差させることにより、一方向にしか跳ね上がらない構造とする。
【考案の効果】
【００１３】  上記の構造により、餌魚が身切れしないよう強固な固定ができ、かつ、餌魚が水平に固定できる、生き餌にも死に餌にも対応できる画期的なテコ式イカ釣り用仕掛が提供でき釣果が向上する。【００１４】  また、餌魚固定針をＶ字ではなく、逆ハの字から平行に固定したことで、餌魚を餌魚固定針のフトコロまでしっかりと刺し込むことができる。Ｖ字に固定すると、フトコロ付近が狭まり、しっかりと刺し込むことができなくなってしまう。【００１５】  また、上記の構造により、前方、つまり餌魚の頭側にしか跳ね上がらない画期的なテコ式イカ釣り用仕掛が提供でき釣果が向上する。
【図面の簡単な説明】
【００１６】
【図１】本考案テコ式イカ釣り用仕掛の一例を示す斜視図である。
【図２】本考案テコ式イカ釣り用仕掛の一例を示す側面図である。
【図３】餌魚に本考案テコ式イカ釣り用仕掛を装着した状態を示す側面図である。
【図４】餌魚に従来のテコ式イカ釣り用仕掛を装着した状態を示す側面図である。
【考案を実施するための形態】
【００１７】  ステンレス製等の剛性のある線状材を本体の棒体とし、この棒体の一端にイカ掛け針を固定し、交差した二つの穴を有す回転具を通し、イカ掛け針の反対側の一端を折り返し道糸接続部とし、棒体の中間より道糸接続部側に回転具がイカ掛け針側に下がらないよう回転具ずれ留めを設ける。交差した二つの穴を有す回転具には、釣りの仕掛に用いる回転ビーズ等が適している。
【００１８】  餌魚固定針は二本以上の複数針とし、この餌魚固定針を、ステンレス製等の剛性のある線状材からなる、回転具と餌魚固定針を接続する三角形の金具に固定する。餌魚固定針は針の軸同士が直接触れないよう、例えば餌魚固定針が二本針の場合なら、Ｖ字ではなく、逆ハの字から平行に固定する。針の軸同士は３ｍｍ以上離すのが理想的である。
【００１９】  一端にイカ掛け針を固定した棒体に通した、回転ビーズ等の交差した二つの穴を有す回転具の、もう一方の穴に、二本以上の複数針である餌魚固定針を固定した回転具と餌魚固定針を接続する三角形の金具を回動できる状態で装着する。
【００２０】  また、回転具と餌魚固定針を接続する三角形の金具を、本体である棒体と交差させることにより、一方向にしか跳ね上がらない構造とする。
【実施例】
【００２１】  以下、添付図面に従って一実施例を説明する。【００２２】  図４は、餌魚に従来のテコ式イカ釣り用仕掛を装着した状態を示す側面図である。従来のテコ式イカ釣り用仕掛１２は、餌魚固定針（従来）１３が一本針であり、棒体３とは固定糸１４で接続されており、この構造では以下に挙げる問題があった。【００２３】  従来のテコ式イカ釣り用仕掛１２は、一本針である餌魚固定針（従来）１３を餌魚１１の背に刺して使用するが、一本針であるため餌魚１１を強固に固定できず身切れしやすいため、遠投により餌魚１１が脱落したり、繰り返し投げると餌魚１１が脱落するといった問題があった。【００２４】  また、餌魚１１が自然な水平姿勢である方が釣果に優れるが、餌魚固定針（従来）１３が一本針であるため、餌魚１１が弱ったりすると前後どちらかに傾き、水平姿勢が維持できず釣果が低下する問題もあった。死んだ餌魚１１で釣りをする場合は、更に水平姿勢を維持するのが困難であり釣果を著しく低下させた。【００２５】  また、餌魚固定針（従来）１３とイカ掛け針４を有す棒体３は、固定糸１４で接続されており、ふらふらと四方八方に跳ね上がってしまうため、仕掛投入の際に絡んだり、投入後、餌魚１１が泳いでいる際に尻尾にイカ掛け針４が刺さったりといった問題もあった。元々、アオリイカは餌魚１１の後頭部に抱き付く習性があるため、前方に跳ね上がれば捕獲でき、四方八方に跳ね上がることに利点は少ない。【００２６】  本考案テコ式イカ釣り用仕掛は、従来のテコ式イカ釣り用仕掛のこれらの問題を、以下の実施例をもって解決する。【００２７】  図１は、本考案テコ式イカ釣り用仕掛の一例を示す斜視図である。図２は、本考案テコ式イカ釣り用仕掛の一例を示す側面図である。図により明らかなように本考案テコ式イカ釣り用仕掛１は、ステンレス製等の剛性のある線状材からなる棒体３の一端にイカ掛け針４を固定し、釣りの仕掛に用いる回転ビーズ等の交差した二つの穴を有す回転具９を通し、イカ掛け針４の反対側の棒体３の一端を折り返し道糸接続部２とし、棒体３の中間より道糸接続部２側に回転具９がイカ掛け針４側に下がらないよう回転具ずれ留め６を設ける。【００２８】  餌魚固定針７は２本以上の複数針とし、この餌魚固定針７を、ステンレス製等の剛性のある線状材からなる、回転具と餌魚固定針を接続する三角形の金具８に固定する。餌魚固定針７は針の軸同士が直接触れないよう、例えば餌魚固定針７が二本針の場合なら、Ｖ字ではなく、逆ハの字から平行に固定する。針の軸同士は３ｍｍ以上離すのが理想的である。【００２９】  また、回転具と餌魚固定針を接続する三角形の金具８を、本体である棒体３と交差させることにより、一方向にしか跳ね上がらない構造とし、一端にイカ掛け針４を固定した棒体３の棒体尻部５は、少し余らせておく。【００３０】  本考案餌テコ式イカ釣り用仕掛の一実施例は前述の如き構成からなるものである。【００３１】  図３は、餌魚に本考案テコ式イカ釣り用仕掛を装着した状態を示す側面図である。図により明らかなように本考案テコ式イカ釣り用仕掛１は、特殊な餌魚固定針７により、餌魚１１が身切れしないよう強固な固定ができ、かつ、餌魚１１が水平に固定でき、また、跳ね上��方向１０は前方のみ、つまり餌魚１１の頭側にしか跳ね上がらず、また、イカを釣り上げた際は少し余らせてある棒体尻部５を引っ張ることによりイカから外しやすい、画期的なテコ式イカ釣り用仕掛である。
【符号の説明】
【００３２】      １  本考案テコ式イカ釣り用仕掛
２  道糸接続部
３  棒体
４  イカ掛け針
５  棒体尻部
６  回転具ずれ留め
７  餌魚固定針
８  回転具と餌魚固定針を接続する三角形の金具
９  回転具
１０  跳ね上げ方向
１１  餌魚
１２  従来のテコ式イカ釣り用仕掛
１３  餌魚固定針（従来）
１４  固定糸
【図１】
0003156619.tif 000003
【図２】
0003156619.tif 000004
【図３】
0003156619.tif 000005
【図４】
0003156619.tif 000006
【手続補正書】
【提出日】平成21年10月8日(2009.10.8)
【手続補正１】
【補正対象書類名】実用新案登録請求の範囲
【補正対象項目名】全文
【補正方法】変更
【補正の内容】
【実用新案登録請求の範囲】
【請求項１】
餌魚の背中に掛ける餌魚固定針を二本以上の複数針とし、この針の軸同士が直接触れないよう、二本針の場合ならＶ字ではなく逆ハの字から平行とした特殊な餌魚固定針を、一端にイカ掛け針を有す棒体の途中に取り付けた、跳ね上げてイカを掛けるテコ式イカ釣り用仕掛。
【請求項２】
前記の餌魚固定針と一端にイカ掛け針を有す棒体は、交差した二つの穴を有す回転具と回転具と餌魚固定針を接続する折り曲げられた金具によって取り付けられ、この金具をイカ掛け針を有す棒体に交差させることにより、イカ掛け針を一方向にしか跳ね上がらないようにした請求項１に記載のテコ式イカ釣り用仕掛。